(57)【要約】  本発明は、紙葉類の形状寸法によらず安定した紙葉類の結束をおこなうことができる紙葉類の結束装置及び結束方法を提供する。フィードローラ２４により紙帯Ｋを送り出しながら、テープキャッチ２１・２１で紙帯Ｋを挟持したまま図示した軌跡Ｒに沿って図示矢印Ｂ１方向に回転する。この回転に同期して１００枚紙葉類ＰＢを左側から右側に図示矢印Ａ２の方向に搬送する。この一連の動作によって、紙帯Ｋは、１００枚紙葉類ＰＢの周りに巻き付いた状態になる。帯押さえ２６は、端部に当接部２６ａを有し、この当接部２６ａを紙帯Ｋに接触させて棒状体を回動することにより１００枚紙葉類ＰＢと紙帯Ｋとのなす角度θを調整することができる。例えば、１００枚紙葉類の結束部分の角度θが大きい値であっても、帯押さえ２６によって許容値θＳ以下にすることにより１００枚紙葉類ＰＢのめくれ上がりを防止できる。
2008117512.tif 000002
【特許請求の範囲】
【請求項１】
集積された紙葉類を搬送する搬送手段と、
結束材を進退自在に送るために、正逆回転可能な送り手段と、
前記送り手段で送られた前記結束材を挟持する挟持手段と、
前記挟持手段で挟持された前記結束材を、前記紙葉類の搬送方向先端側から後端側に回転させて前記紙葉類を巻き付ける巻き付け手段と、
前記巻き付け手段によって前記紙葉類に巻き付けた前記結束材を前記送り手段を逆転して巻き上げる際に、前記結束材と前記紙葉類との間になす角度を調整するように前記結束材を押さえる帯押さえ手段と、
を備えたことを特徴とする紙葉類の結束装置。
【請求項２】
更に、前記結束材を加熱して溶着する熱溶着手段と、
前記結束材を切断する切断手段と、
を備えたことを特徴とする請求項１記載の紙葉類の結束装置。
【請求項３】
前記挟持手段は、前記送り手段から送られた前記結束材が通過できる間隙を形成し、この間隙を通過する結束材を、前記結束材の上面及び下面から挟持する請求項１記載の紙葉類の結束装置。
【請求項４】
前記巻き付け手段は、前記送り手段から送られた前記結束材を前記挟持手段の間隙を一定量通過して突出させた後に当該挟持手段で挟持し、前記挟持手段を前記紙葉類の外周を回転させる際に、前記突出した結束材がこの回転軌跡の内側に位置するように回転させることを特徴とする請求項１記載の紙葉類の結束装置。
【請求項５】
前記帯押さえ手段は、回動可能な棒状体で構成され、一方の端は軸支され、他方の端に接触部を配置し、前記角度を調整する際は前記接触部を前記結束材に接触させて前記棒状体を回動することにより前記角度調整を行い、前記結束材を巻き上げた後のゆるみを防止する際は、前記角度調整後の状態から更に前記棒状体を回動することにより、押圧面により前記結束材を前記紙葉類に押圧することを特徴とする請求項１記載の紙葉類の結束装置。
【請求項６】
前記搬送手段は、前記紙葉類を搬送方向に搬送して最初の結束位置に到達後、前記巻き付け手段が前記結束材を挟持して回転するのに同期して、前記紙葉類を搬送方向に更に搬送し、前記巻き付け手段が１回転して初期位置に達したとき前記紙葉類底部の略中央に位置することを特徴とする請求項１記載紙葉類の結束装置。
【請求項７】
紙葉類を結束開始位置まで搬送する第１工程と、
結束材を挟持手段から所定量突出する位置まで第１の方向へ送る第２工程と、
所定量突出した前記結束材を前記挟持手段で挟持する第３工程と、
前記挟持手段を前記紙葉類の周囲に沿って回転し、この回転中前記紙葉類を更に前記所定方向に搬送する第４工程と、
前記紙葉類側に前記結束材を押し込むことにより前記紙葉類と前記結束材との間の角度を調整する第５工程と、
前記第１の方向と逆の第２の方向へ前記結束材を送ることによって前記紙葉類を締め付ける第６工程と、
前記結束材を前記紙葉類に押圧することにより結束材が緩まないようにする第7工程と、
を備えたことを特徴とする紙葉類の結束方法。
【請求項８】
更に、前記結束材を切断する第８工程と、
前記結束材を熱溶着する第９工程と、
を備えたことを特徴とする請求項７記載の紙葉類の結束方法。
【発明の詳細な説明】
【技術分野】
【０００１】
本発明は、有価証券などの紙葉類を処理する紙葉類処理装置に搭載される紙葉類の結束装置及び結束方法に関する。
【背景技術】
【０００２】
有価証券などの紙葉類を処理する紙葉類処理装置は、処理単位に応じて一括して投入された紙葉類束から取出装置によって紙葉類を１枚ずつ取出して搬送し、紙葉類判別装置等によって紙葉類を判別する。【０００３】
紙葉類判別装置は、当該紙葉類の種類（以下、券種と称する。）判別、搬送方向判別、真偽判別（真券か偽券か）及び正損判別（真券で再流通可能な正券か真券で再流通不可能な損券か）等を行い、正券、損券及び排除券に区分する。【０００４】
このようにして区分された紙葉類は、区分に応じて集積装置によって集積され、又は結束装置によって結束される。【０００５】
この種の結束装置においては、帯フィードモータで紙帯を送り、例えば、１００枚集積された紙葉類（以下、１００枚紙葉類と称する。）に紙帯を巻きつけてから引き絞ることにより紙葉類に紙帯をきつく巻き付ける。或いは紙葉類全体を湾曲させた状態で紙帯を巻き付けた後に紙葉類の湾曲を戻すことにより紙帯の締め付け力を得る方法が一般的であり、これに類似する方法が知られている（例えば、特許文献１参照。）。【０００６】
図１４及び図１５を参照して、従来の方法による紙葉類のめくり上がりを説明する。図１４は、１００枚紙葉類ＰＢに紙帯Ｋを巻き付けた後に、紙葉類Ｐのめくれ上がりを説明する図である。図に示す状態にある帯フィードモータ２４０を逆回転し、紙帯Ｋを巻き上げることにより、紙帯Ｋによって１００枚紙葉類ＰＢを締め付けていた。しかしながら、この従来の方法によれば、例えば１００枚紙葉類ＰＢの結束部分の形状寸法がＬ１とＬ２とでは異なるため、紙帯Ｋを巻き上げたときに、１００枚紙葉類ＰＢの形状寸法がＬ１のときに１００枚紙葉類ＰＢと紙帯Ｋとの間に作られる角度θ１と、１００枚紙葉類ＰＢの形状寸法がＬ２のときに１００枚紙葉類ＰＢと紙帯Ｋとの間に作られる角度θ２の値が異なることになる。この結果、例えば、これら角度θ１又は角度θ２が許容値を超えて巻き上げたときに、紙帯Ｋ側の力が大きくなり、１００枚紙葉類ＰＢを形成している下部の紙葉類Ｐの数枚を巻き上げてしまう現象が発生していた（図１５）。
【特許文献１】実開平５−７５１０５号公報  （第１頁、図２）
【０００７】
しかしながら、特許文献１記載の結束装置では、例えば、紙葉類がユーロ紙幣などのように、券種によってその紙葉類寸法が異なる場合、その１００枚紙葉類ＰＢを損傷することなく安定した締め付け力を得ることが困難であるという課題があった。又券質によっても紙葉類を損傷し易いという課題があった。【０００８】
すなわち、上述した紙葉類（例えば、ユーロ紙幣）が小額券の場合は紙葉類の形状寸法が短く、高額券の場合は紙葉類の形状寸法が長い場合が多い。また、上述した紙葉類が正券と損券の場合には、紙葉類の腰が、前者は強く、後者は弱いという特徴がある。そのため、これら何れの場合にも紙葉類を損傷せずに紙葉類を結束するのが難しいという課題があった。【０００９】
本発明は、上記課題を解決するためになされたもので、紙葉類の形状寸法によらず安定した紙葉類の結束をおこなうことができる紙葉類の結束装置及び結束方法を提供することを目的とする。
【発明の開示】
【００１０】
上記目的を達成するために、本発明の請求項１記載の紙葉類の結束装置は、集積された紙葉類を結束材で結束する結束装置であって、前記紙葉類を搬送する搬送手段と、前記結束材を進退自在に送るために正逆回転可能な送り手段と、この送り手段で送られた前記結束材を挟持する挟持手段と、この挟持手段を前記紙葉類の搬送方向先端側から後端側に回転する回転手段と、を有し、当該結束材を当該紙葉類に巻き付ける巻き付け手段と、この巻き付け手段によって前記紙葉類に巻き付けた前記結束材を前記送り手段を逆転して巻き上げる際に、前記結束材と前記紙葉類との間になす角度を調整するために、前記結束材と当接する当接面と、当該結束材を前記紙葉類に押圧するための押圧面と、を有する接触部を進退自在に移動可能な帯押さえ手段と、前記結束材を加熱して溶着する熱溶着手段と、前記結束材を切断する切断手段と、を備えたことを特徴とする。
【００１１】
また、本発明の請求項５記載の紙葉類の結束方法は、紙葉類を搬送する搬送手段と、前記結束材を進退自在に送るために、正逆回転可能な送り手段と、この送り手段で送られた前記結束材を挟持する挟持手段と、この挟持手段を前記紙葉類の搬送方向先端側から後端側に回転して当該結束材を巻き付ける巻き付け手段と、この巻き付け手段によって前記紙葉類に巻き付けた前記結束材を前記送り手段を逆転して巻き上げる際に、前記結束材と前記紙葉類との間になす角度を調整するために、前記結束材と当接する当接面と当該結束材を前記紙葉類に押圧するための押圧面とを有する接触部を進退自在に移動可能な押し込み手段と、前記結束材を加熱して溶着する熱溶着手段と、前記結束材を切断する切断手段と、を備えた結束装置の結束方法であって、前記搬送手段によって前記紙葉類を搬送し、結束開始位置まで搬送する第１工程と、送り手段によって、前記結束材が前記挟持手段を通過して所定量突出するまで送る第２工程と、この第２工程終了後、所定量突出した前記結束材を挟持する第３工程と、この第３工程終了後、前記送り手段によって前記結束材を送りながら前記挟持手段を左回りに回転し、この回転に同期して前記紙葉類をさらに前記搬送方向に搬送する第４工程と、この第４工程終了後、前記接触部の当接面を前記結束材に当接させて、前記棒状体を回動し、前記紙葉類側に押し込むことにより前記紙葉類と前記結束材との間の角度を調整する第５工程と、この第５工程終了後、前記送り手段を逆回転して前記結束材を巻き上げることにより紙葉類を締め付ける第６工程と、この第６工程終了後、前記棒状体をさらに回動し、前記接触部の押圧面により前記結束材を前記紙葉類に押圧することにより結束材が緩まないようにする第7工程と、この第7工程の後、結束材を切断する第８工程と、この第８工程の後、前記熱溶着手段により前記結束材同士を熱溶着する第９工程と、この第９工程の後、前記挟持手段及び前記接触部を初期状態に戻す第１０工程と、を備えたことを特徴とする。
【図面の簡単な説明】
【００１２】
【図１】本発明の実施例１による集積装置、結束装置及び帯リールからなる集積・結束装置の主要部分を示す斜視図。
【図２】図１に示す結束装置の結束部分の構成を示す図。
【図３】図２に示す結束装置の動作に関し、テープキャッチが開いた図。
【図４】図３に示す動作の後、紙帯をテープキャッチの間に一定量送り出している図。
【図５】図４に示す動作の後、テープキャッチが閉じ、紙帯を挟持している図。
【図６】図５に示す動作の後、１００枚紙葉類に帯を巻き付ける図。
【図７】図６に示す動作の後、帯押さえが上昇した図。
【図８】図７に示す動作の後、紙帯による１００枚紙葉類の締め付け状態を示す図である。
【図９】図８に示す帯押さえ上昇動作の効果説明図。
【図１０】図８に示す動作の後、帯押さえの動作を示す図。
【図１１】図１０に示す動作の後、帯カット動作を示す図。
【図１２】図１１に示す動作の後、熱溶着動作を示す図。
【図１３】図１２に示す動作の後、テープキャッチ引抜、帯押さえ戻し動作を示す図。
【図１４】長さの異なる二種類の紙葉類を締め上げる状態を示す図。
【図１５】一種類の紙葉類のめくり上がりを示す図。
【発明を実施するための最良の形態】
【００１３】
以下、図面を参照して本発明の実施例を説明する。
【実施例１】
【００１４】
図１は、本発明の実施例１による集積装置１０、結束装置２０及び帯リール部３０からなる集積・結束装置の主要部分を示す斜視図である。【００１５】
集積装置１０は、搬送される紙葉類Ｐを集積する集積庫（図示しない）との受渡部分に、高速に搬送される紙葉類Ｐの運動エネルギーを吸収しながら当該紙葉類Ｐにダメージを与えないで集積する方法として羽根車１２を用いた羽根車集積装置で構成される。【００１６】
この羽根車１２は、回転軸の周囲に複数の羽根が配置されており、この羽根と羽根との間に当該紙葉類Ｐを取込む。取込まれた紙葉類Ｐは、羽根車の回転に伴って回転し、その運動エネルギーが吸収され、紙葉類掻出板（図示しない）に静止されて掻き出される。この際、当該紙葉類Ｐの端面に振動を与えながら紙葉類Ｐの長手方向を整位する長手整位板１４が配置されている。【００１７】
このようにして掻き出された紙葉類Ｐは、集積庫の底部に配置されたバックアッププレート（図示しない）上に集積される。【００１８】
結束装置２０は、集積装置１０のバックアッププレートに集積された紙葉類Ｐが１００枚に達した１００枚紙葉類ＰＢを結束材である紙帯Ｋで結束（結束）する装置である。従って、１００枚紙葉類ＰＢを集積装置１０のバックアッププレートから結束位置まで移動するためのキャリア（図示しない）、移動した１００枚紙葉類を紙帯（結束材）Ｋで結束するために紙帯Ｋを送り、帯巻するテープワインダ３１、送られた１００枚紙葉類ＰＢを保持するクランパ３２、帯巻した紙帯Ｋを熱溶着するヒータ３３などで構成される。更に、１００枚紙葉類ＰＢを紙帯Ｋで結束することにより形成した把を次工程に渡すためのシュータ３４及びシュータ３４に渡された把の姿勢を整位する整位アーム３５などで構成される。なお、把とは、例えば１００枚の紙葉類を帯で巻いた状態を言う。【００１９】
図２は、図１に示す結束装置２０の結束部分の機構の構成を示す図である。この機構は、紙帯Ｋを送り出すための帯フィードローラ（送り手段）２４、紙帯Ｋを挟んだ状態で回転することにより１００枚紙葉類ＰＢに紙帯Ｋを巻き付けるテープキャッチ（挟持手段）２１・２１、紙帯Ｋを切断するための帯カッタ（切断手段）２３・２３、紙帯Ｋを送り出し、又は巻き戻す際に紙帯Ｋを支持するための帯支持ローラ２５及び紙帯支持ガイド２２、紙帯Ｋを切断した際巻き付けた１００枚紙葉類ＰＢが緩まないようにするための帯押さえ（帯押さえ手段）２６などから構成される。【００２０】
図２に示す１００枚紙葉類ＰＢは、キャリア４０に載置され、搬送手段により図示矢印Ａ１の方向に搬送され、１００枚紙葉類ＰＢの結束位置に達すると、紙帯Ｋを挟んだテープキャッチ２１・２１が図示矢印Ｂ１で示す左回りに回転することにより、１００枚紙葉類ＰＢは、紙帯Ｋによって結束される。このとき、１００枚紙葉類ＰＢ１は、結束位置からさらに図示矢印Ａ２の方向に搬送されながらさらに結束が行われる。このように移動しながら結束することによってテープキャッチ２１・２１の回転軌跡を小さくすることが可能である。【００２１】
図３〜図１２は上述した結束装置２０を用いて１００枚紙葉類ＰＢを結束する場合の手順を示す。【００２２】
最初に、１００枚紙葉類ＰＢを結束開始位置まで搬送する（第１工程）。同時にテープキャッチ２１・２１を開いて間隙を形成し（図３）、紙帯（テープ）Ｋを挟持できるようにする。【００２３】
次に、図示しない帯フィードモータを駆動して帯フィードローラ（送り手段）２４を正転し、紙帯Ｋを開いたテープキャッチ（挟持手段）２１・２１の間隙に一定量送り出す（図４、第２工程）。なお、この帯フィードローラ（送り手段）は、結束材である紙帯Ｋを進退自在に送るために、正逆回転可能に構成されており、紙帯Ｋを送る場合は正転し、紙帯Ｋを１００枚紙葉類ＰＢに巻き付ける場合には逆転する。【００２４】
次に、テープキャッチ２１・２１を閉じ（図５）、送り出した紙帯Ｋをテープキャッチ２１・２１によりクランプする（図５、第３工程）。【００２５】
フィードローラ２４により紙帯Ｋを送り出しながら、テープキャッチ２１・２１で紙帯Ｋを挟持したまま図示した軌跡Ｒに沿って図示矢印Ｂ１方向に回転する。この回転に同期して１００枚紙葉類ＰＢを左側から右側に図示矢印Ａ２の方向に搬送する（図６、第４工程）。【００２６】
この一連の動作によって、紙帯Ｋは、１００枚紙葉類ＰＢの周りに巻き付いた状態になる。【００２７】
本実施例では、紙帯Ｋを巻き上げる前に、帯押さえ２６を１００枚紙葉類ＰＢ側に上昇（接近）させる。帯押さえ２６は、図１０に示すように、回動可能な棒状体からなる本体２６ｂを有し、この本体２６ｂの一方の端２６ｃが軸支され、他方の端に紙帯Ｋと当接する当接部２６ａと、紙帯Ｋを１００枚紙葉類ＰＢに押圧するための押圧面２６ｄを一体に構成した接触部２６ｅを有している。当接部２６ａを紙帯Ｋに接触させて本体２６ｂを回動することにより１００枚紙葉類ＰＢと紙帯Ｋとのなす角度θを調整する（図７、第5工程）。【００２８】
図８は、紙帯Ｋによる１００枚紙葉類ＰＢの締め付け状態を示す図である。図９は、帯押さえ２６上昇動作の効果を説明する図である。以下、図８、図９を参照して、帯押さえ２６の動作及びその効果を説明する。【００２９】
帯押さえ２６を上昇することにより、紙帯Ｋを帯押さえ２６の先端を支点にして巻き上げたときに、紙帯Ｋと１００枚紙葉類ＰＢとの間にできる角度θを、帯押さえ２６を上昇しないときの角度θ３から帯押さえ２６を上昇したときの角度θ４にすることができる。このとき、角度θ３とθ４の関係を下式（１）、（２）に示す。【００３０】
θ４＜θ３・・・・・・・（１）
θ４≦θＳ・・・・・・・（２）
θ３：帯押さえ２６で紙帯Ｋを押えないときの１００枚紙葉類と紙帯がつくる角度
θ４：帯押さえ２６で紙帯Ｋを押えたときの１００枚紙葉類と紙帯がつくる角度
θＳ：１００枚紙葉類と紙帯Ｋがつくる角度の許容値
例えば、１００枚紙葉類の結束部分の角度θ３が大きい値であっても、帯押さえ２６によって上式（２）を満たすように、許容値θＳ以下にすることにより１００枚紙葉類ＰＢのめくれ上がりを防止できる。【００３１】
次に、帯フィードローラ２４を逆回転し、所定の力で１００枚紙葉類ＰＢを締め付けて、紙帯Ｋによる締め付けを完了する（図８、第６工程）。【００３２】
その後、帯押さえ２６をさらに上昇させ、紙帯Ｋを１００枚紙葉類ＰＢにしっかり押し付ける（図１０、第７工程）。【００３３】
以上の方法により、紙帯Ｋが緩まないようにした後に、帯カッタ２３・２３により紙帯Ｋを切断する（図１１、第８工程）。【００３４】
次に、ヒータ機構２７によって紙帯Ｋの端面を加熱し、巻き付けられた紙帯同士を接着する。なお、この紙帯Ｋは、紙帯Ｋの裏面に熱溶着用糊が塗布されており、加熱されることによって溶融し、押圧することにより熱溶着させる。本実施例では、熱溶着部分の紙帯Ｋの裏面同士が接着される（図１２、第９工程）。【００３５】
次に、テープキャッチ２１・２１を引き抜き、続けて帯押さえ２６を元の位置に戻して結束処理が終了し把Ｈが形成される（図１３、第１０工程）。【００３６】
以上説明したように、本発明の結束装置及び結束方法によれば、１００枚紙葉類ＰＢが券種によりその結束部分の形状が大きい場合又は小さい場合であっても紙葉類の結束部分を損傷することなく結束が可能である。【００３７】
なお、取り扱う券が損券の場合は、腰が弱く券端が垂れ易く折れやすいため、帯押さえ２６による角度の制御は効果が大きい。
【産業上の利用可能性】
【００３８】
本発明によれば、紙葉類の形状寸法によらず安定した紙葉類の結束をおこなうことができる。
【図１】
2008117512.tif 000003
【図２】
2008117512.tif 000004
【図３】
2008117512.tif 000005
【図４】
2008117512.tif 000006
【図５】
2008117512.tif 000007
【図６】
2008117512.tif 000008
【図７】
2008117512.tif 000009
【図８】
2008117512.tif 000010
【図９】
2008117512.tif 000011
【図１０】
2008117512.tif 000012
【図１１】
2008117512.tif 000013
【図１２】
2008117512.tif 000014
【図１３】
2008117512.tif 000015
【図１４】
2008117512.tif 000016
【図１５】
2008117512.tif 000017
【国際調査報告】
2008117512.tif 000018
2008117512.tif 000019
2008117512.tif 000020
2008117512.tif 000021